【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
第１のイメージフレーム（１０２ａ）及び第２のイメージフレーム（１０２ｂ）を含む複数のイメージフレーム（１０２）をエンコーディングする方法であって、前記イメージフレームのそれぞれは、第１のエンコーダ（４０８）及び第２のエンコーダ（４１０）を使用してエンコードされ、前記第１のエンコーダは、ブロックマッチング用の第１の検索ウィンドウのサイズが定められており、
イメージデータの第１の部位（１０４ａ）及び第２の部位（１０６ａ）を形成するために、前記第１のイメージフレーム（１０２ａ）のイメージデータを、水平方向又は垂直方向である第１の方向に分割すること（Ｓ３０４）と、
前記イメージデータの前記第１の部位を、前記第１のエンコーダを使用してエンコーディングすること（Ｓ２０２）と、前記イメージデータの前記第２の部位を、前記第２のエンコーダを使用してエンコーディングすること（Ｓ２０４）と、により、前記第１のイメージフレームをエンコーディングすること（Ｓ３０６）と、
イメージデータの第３の部位（１０４ｂ）及び第４の部位（１０６ｂ）を形成するために、前記第２のイメージフレームのイメージデータを前記第１の方向に分割すること（Ｓ３１２）と、
前記イメージデータの前記第３の部位を、前記第１のエンコーダを使用してエンコーディングすること（Ｓ２１２）と、前記イメージデータの前記第４の部位を、前記第２のエンコーダを使用してエンコーディングすること（Ｓ２１４）と、により、前記第２のイメージフレームをエンコーディングすること（Ｓ３１４）と、
を含み、
前記第２のイメージフレーム内の前記イメージデータの前記第３の部位と前記第４の部位との間の境界の位置は、前記イメージデータの前記第３の部位のサイズが、前記イメージデータの前記第１の部位のサイズと比較して小さくなるよう、前記第１のイメージフレーム内の前記イメージデータの前記第１の部位と前記第２の部位との間の境界の位置に関してオフセットされ（１１０）、
前記第１の方向が水平方向であるとき、前記オフセットは、前記第１の検索ウィンドウの高さの半分であり、前記境界は、垂直方向にオフセットされ、
前記第１の方向が垂直方向であるとき、前記オフセットは、前記第１の検索ウィンドウの幅の半分であり、前記境界は、水平方向にオフセットされる、方法。
【請求項２】
前記第２のイメージフレームは、インターフレームエンコードされ、前記第２のエンコーダは、ブロックマッチング用の第２の検索ウィンドウのサイズが定められ、前記方法は、
前記イメージデータの第１のサブ部位（１０８）及び第２のサブ部位を形成するために、前記イメージデータの前記第１の部位を前記第１の方向に分割すること
を含み、ここで、前記第１のサブ部位は、前記イメージデータの前記第２の部位に近傍の、前記イメージデータの前記第１の部位のイメージデータからなり、
前記第１の方向が水平方向であるとき、前記第１のサブ部位は、前記第１の検索ウィンドウの前記高さの半分と、前記第２の検索ウィンドウの前記高さの半分と、の和に等しい高さを有し、
前記第１の方向が垂直方向であるとき、前記第１のサブ部位は、前記第１の検索ウィンドウの前記幅の半分と、前記第２の検索ウィンドウの前記幅の半分と、の和に等しい幅を有し、
前記イメージデータの前記第１の部位を、前記第１のエンコーダを使用して前記エンコーディングすることは、前記イメージデータの前記第１のサブ部位をエンコーディングし、前記エンコードされたイメージデータの第１のサブ部位を形成することを含み、
前記方法は、
前記第１のエンコーダにより、前記エンコードされたイメージデータの前記第１のサブ部位をデコーディングし、前記デコードされたデータ（４１２）の第１のサブ部位を形成することと、前記デコードされたイメージデータの前記第１のサブ部位を、前記第１のエンコーダから前記第２のエンコーダへコピーすること（Ｓ２０６、Ｓ２１６、Ｓ３０８）と、
をさらに含む、請求項１に記載の方法。
【請求項３】
前記デコードされたイメージデータの前記第１のサブ部位を、前記第１のエンコーダから前記第２のエンコーダへ前記コピーすることの後に、前記第１のエンコーダ及び前記第２のエンコーダは、前記イメージデータの前記第３の部位及び前記第４の部位をそれぞれエンコーディングする際に、互いに独立して作動する、請求項２に記載の方法。
【請求項４】
前記第１のエンコーダにより、前記エンコードされたイメージデータの前記第１のサブ部位をデコーディングし、前記デコードされたデータの第１のサブ部位を前記形成することと、前記デコードされたイメージデータの前記第１のサブ部位を、前記第１のエンコーダから前記第２のエンコーダへ前記コピーすることと、は、前記イメージデータの前記第１のサブ部位を、前記第１のエンコーダにより前記エンコーディングすることが完了するとすぐに行われる、請求項２又は３に記載の方法。
【請求項５】
前記イメージデータの前記第１の部位を、前記第１のエンコーダを使用してエンコーディングすることは、前記イメージデータの前記第２の部位を、前記第２のエンコーダを使用して前記エンコーディングすることが始まる前の時点に始まる、請求項１から４のいずれか一項に記載の方法。
【請求項６】
前記イメージデータの前記第３の部位を、前記第１のエンコーダを使用してエンコーディングすることは、前記イメージデータの前記第２の部位を、前記第２のエンコーダを使用して前記エンコーディングすることが終わる前の時点に始まる、請求項１から５のいずれか一項に記載の方法。
【請求項７】
前記複数のイメージフレーム内の前記第１のイメージフレーム及び前記第２のイメージフレームに後続するイメージフレームであって、前記第１のイメージフレーム及び前記第２のイメージフレームと同じ写真の群（ＧＯＰ）の一部であるイメージフレームに対して、請求項１から請求項６のいずれか一項に記載の方法を繰り返し行い、前記ＧＯＰの前記イメージフレームの前記イメージデータの前記２つの部位の間の前記境界の前記位置を、前記ＧＯＰの前記イメージフレームにわたって徐々に移動させることを含む、請求項１から６のいずれか一項に記載の方法。
【請求項８】
前記第１のイメージフレームはイントラフレームエンコードされ、前記第１のイメージフレームは、写真の群（ＧＯＰ）内の前記第１のイメージである、請求項１から７のいずれか一項に記載の方法。
【請求項９】
前記第１のイメージフレームの前記イメージデータの前記第１の部位と前記第２の部位との間の前記境界の前記位置を、前記第１の検索ウィンドウのサイズ、前記第１の方向、及び前記ＧＯＰの長さに基づいて設定し、前記第１のエンコーダ及び前記第２のエンコーダの計算負荷のバランスが前記ＧＯＰ内にてとれるようにすること（Ｓ３０３）をさらに含む、請求項７又は８に記載の方法。
【請求項１０】
前記ＧＯＰの長さを、前記第１の検索ウィンドウの前記サイズに基づいて判定し、前記ＧＯＰ内の最後のイメージフレーム（１０２ｎ、１０２ｃ）について、前記第１のエンコーダによりエンコードされる前記イメージデータの前記部位のサイズが、第１の閾値を超えるようにすること（Ｓ３０２）をさらに含む、請求項７又は８に記載の方法。
【請求項１１】
前記第１のエンコーダは、前記第２のエンコーダによりエンコードされた前記イメージデータ（４１６）を受信（Ｓ２０８、Ｓ２１７、及びＳ２２２）し、エンコードされたイメージ（４２０）を形成する（Ｓ２１０、Ｓ２１８、Ｓ２２４、及びＳ３１０）よう配置されており、前記エンコードされたイメージは、前記第１のエンコーダによりエンコードされた前記イメージデータを、第１のタイル又は第１のスライスとして含み、前記第２のエンコーダによりエンコードされた前記イメージデータを、第２のタイル又は第２のスライスとして含む、請求項１から１０のいずれか一項に記載の方法。
【請求項１２】
処理機能を有するデバイスにより実行されると、前記デバイスに、請求項１から請求項１１のいずれか一項に記載の方法を実施させる命令を含む、コンピュータプログラム製品。
【請求項１３】
第１のエンコーダ（４０８）及び第２のエンコーダ（４１０）を含むデバイス（４０５、５０５）であって、当該デバイスは、第１のイメージフレーム（１０２ａ）及び第２のイメージフレーム（１０２ｂ）を含む複数のイメージフレーム（１０２）をエンコードするよう構成され、前記イメージフレームのそれぞれは、前記第１のエンコーダ及び前記第２のエンコーダを使用してエンコードされ、前記第１のエンコーダは、ブロックマッチング用の第１の検索ウィンドウのサイズが定められており、当該デバイスは、プロセッサを含み、前記プロセッサは、
イメージデータの第１の部位（１０４ａ）及び第２の部位（１０６ａ）を形成するために、前記第１のイメージフレームのイメージデータを、水平方向又は垂直方向である第１の方向に分割すること（Ｓ３０４）と、
前記イメージデータの前記第１の部位を、前記第１のエンコーダを使用してエンコーディングすること（Ｓ２０２）と、前記イメージデータの前記第２の部位を、前記第２のエンコーダを使用してエンコーディングすること（Ｓ２０４）と、により、前記第１のイメージフレームをエンコードすること（Ｓ３０６）と、
イメージデータの第３の部位（１０４ｂ）及び第４の部位（１０６ｂ）を形成するために、前記第２のイメージフレームのイメージデータを前記第１の方向に分割することと、
前記イメージデータの前記第３の部位を、前記第１のエンコーダを使用してエンコーディングすること（Ｓ２１２）と、前記イメージデータの前記第４の部位を、前記第２のエンコーダを使用してエンコーディングすること（Ｓ２１４）と、により、前記第２のイメージフレームをエンコードすること（Ｓ３１４）と、
を行うよう構成されており、
前記第２のイメージフレーム内の前記イメージデータの前記第３の部位と前記第４の部位との間の境界の位置は、前記イメージデータの前記第３の部位のサイズが、前記イメージデータの前記第１の部位のサイズと比較して小さくなるよう、前記第１のイメージフレーム内の前記イメージデータの前記第１の部位と前記第２の部位との間の境界の位置に関してオフセットされ（１１０）、
前記第１の方向が水平方向であるとき、前記オフセットは、前記第１の検索ウィンドウの高さの半分であり、前記境界は、垂直方向にオフセットされ、
前記第１の方向が垂直方向であるとき、前記オフセットは、前記第１の検索ウィンドウの幅の半分であり、前記境界は、水平方向にオフセットされる、デバイス。
【請求項１４】
シーンを描くビデオシーケンスを連続して撮像するよう構成されているビデオ撮像デバイスと、
一連のイメージフレーム（１０２）を、前記ビデオ撮像デバイスから連続して受信し、前記一連のイメージフレームをエンコードし、前記エンコードされた一連のイメージフレーム（４２０）を出力するよう構成されている、請求項１２に記載のデバイスと、
を含む、システム。
【請求項１５】
前記デバイスは、前記ビデオ撮像デバイス内に統合されている、請求項１４に記載のシステム（４００、５００）。